(57)【要約】      （修正有）【課題】保持部側にある握り部を振り回すことによって、回転部側にある重さの偏った腕部を回転させ続ける自立可能な玩具を提供する。【解決手段】回転部１を構成する左右の腕６，８の先に、大きさの異なる、正確には重さの異なる球５，７を取り付けている。左右で大きさの異なる球５，７を取り付けた場合、見た目の差が大きすぎるとアンバランス感が出るため、適度な大きさの差とした上で錘側の球の中に鉄またはアルミ棒９を挿入して表面を修復し重さ調整を行う。頭部３は下の保持部２からの軸４を介して一体となり回転しないタイプと、頭部３が回転部と一体となって回転するタイプの２通りが考えられる。自立させることを想定した場合、保持部２の下方側は比較的太くて大きくなるため、下側からくりぬいた空洞を設け、中には鈴を入れて、握り部を振り回した時、鈴が鳴る構造にする。【選択図】図１
2019118777.tif 000002
【特許請求の範囲】
【請求項１】
軸構造によって連結する回転部と保持部により構成され、保持部側にある握り部を振り回すことによって、回転部側にある重さの偏った腕部を回転させ続けることを主な機能とする自立可能な玩具。
【請求項２】
請求項１において、保持部側から出て回転部を貫く軸を成し、先端に保持部側に属する頭部を構成させ、該頭部に目玉を画いて全体として人形の印象を有する玩具。
【請求項３】
請求項１において、回転部の上方に回転部と共に回るプロペラを構成させた玩具。
【請求項４】
請求項１において、保持部側の下方に空洞を設け、中に鈴を入れて、保持部側にある握り部を振り回すことにより、鈴が鳴る構造とした玩具。
【発明の詳細な説明】
【技術分野】
【０００１】  本発明は軸構造によって連結する回転部と保持部により構成され、保持部側にある握り部を振り回すことによって、回転部側にある重さの偏った腕部を回転させ続けることを主な機能とする自立可能な玩具に関するものである。
【背景技術】
【０００２】  従来、揺動程度ではあるが回転可能な玩具として下記のような公報文献がある。
【公報文献１】
公開特許公報  特開平９−６６１７１号公報
公報文献１では人形の頭部の中の回転軸から偏った位置に錘を設け、この錘により常に顔が上を向くように設定されている。この場合、強いて振り回し回転させようとすれば、永続的に回転させることは可能であるが、本公開特許公報の人形は振り回して回転させることを目的とした玩具ではない。これに対して本発明では頭部ではなく腕位置に重さの偏よった錘を配置しており、回転させ続けることを主な機能としている。また本公開特許公報の人形では自立させておくことは考えられていないが、本発明の玩具では自立が可能である。
【発明の開示】
【発明が解決しようとする課題】
【０００３】  握り部を振り回すことによって、軸回りの回転部を回転させるためには、腕部にかなりの重さの偏り（差）がないと腕部が平行に回ってしまい、回転させることができない。
本発明では腕部にかなりの重さの偏りを持たせることが主な課題になる。
【課題を解決するための手段】
【０００４】  この課題を解決するために本発明では回転部を構成する左右の腕の先に、大きさの異なる、正確には重さの異なる球を取り付けている。なお原理的には腕は片方のみでも可能ではある。左右で大きさの異なる球を取り付けた場合、見た目の差が大きすぎるとアンバランス感が出るため、適度な大きさの差とした上で錘側の球の中に鉄またはアルミ棒を挿入して表面を修復し重さ調整を行う。
本発明では腕部は回転部を構成するが、頭部は下の保持部からの軸を介して保持部と一体となり回転しないタイプと、頭部が回転部と一体となって回転するタイプの２通りが考えられるが、人形タイプでは頭部が回転しないタイプ、プロペラタイプでは頭部が回転するタイプが望ましい思われる。いずれの場合も色鮮やかな塗色は可能である。
自立させることを想定した場合、保持部の下方側は比較的太くて大きくなるため、下側からくりぬいた空洞を設け、中には鈴を入れて、握り部を振り回した時、鈴が鳴る構造にすることができる。
【発明の効果】
【０００５】  本発明により色鮮やかで動きのある、しかも多少は運動にもなる玩具を楽しむことができる。その動きの範囲は比較的狭く、回転も遅いため怪我や他の器物の破損等の恐れは少ないと考えられる。幼児用だけでなく大人も机の隅に置いて、たまに手に取り一時の気晴らしを行うことも可能と思われる。
【発明を実施するための最良の形態】
【０００６】  図１に本発明の頭部が回転しないで、人形の印象を有する玩具の断面図を示す。図において１は回転部を示し、２は握り部を兼ねる保持部を示す。３は頭部で、頭部は保持部に固定する軸４を介して保持部側と一体に固定される。５は重い側の球で、重い側の腕６と一体になって重い側の腕部を形成する。７は軽い側の球で、軽い側の腕８と一体になって軽い側の腕部を形成する。１，５，６，７，８が一体となって回転部を形成する。９は重い側の球の中の重さ調整用の金属棒で、１０は表面修復用の栓である。１１は回転部用の抜け止めリングを示している。【０００７】  図２は、頭部が回転部と一体となって回転するプロペラタイプの玩具の断面図を示す。図において１は回転部で、２は握り部を兼ねる保持部を示しており、重い側の球５およびその腕６、軽い側の球７およびその腕８等は同じであるが、プロペラ形状を成す頭部１２は一体となっている首１３および軸１４と共に回転部側に固定されて下方に伸び、保持部側に固定する軸受１５を介して軸回転をする。１６は軸用の抜け止めリングである。【０００８】  図３は本発明の頭部が回転しないで、人形の印象を有する玩具に鈴を入れた状態を示す一部断面図である。図において、２は握り部を兼ねる保持部で、１７は保持部（握り部）の一部を成す土台部である。１８は上の保持部と下の土台部をつなぐ栓である。１９は土台部に設けた空洞で、中には鈴２０を入れている。２１は鈴の音色を良くするための緩衝材で、２２は覆い板を示している。図の２３は頭部に描いた目玉である。【０００９】  図４は、図３を下から見た状態を示しており、覆い板２２には多数の穴２４が開けられていることがわかる。
【図面の簡単な説明】
【００１０】
【図１】  本発明の内、頭部が回転しないで人形の印象を有する玩具の正面断面図。
【図２】  本発明の内、頭部が回転部と一体となって回転するプロペラタイプの玩具の正面断面図
【図３】  頭部が回転しないで、人形の印象を有する玩具に鈴を入れた状態を示す正面一部断面図
【図４】  図３を下から見た状態を示す底面図である。
【符号の説明】
【００１１】  １    回転部
２    保持部（握り部）
３    頭部
４    保持部に固定する軸
５    重い側の球
６    重い側の腕
７    軽い側の球
８    軽い側の腕
９    重い側の球の中の重さ調整用金属棒
１０    表面修復用の栓
１１    回転部用の抜け止めリング
１２    プロペラ形状を成す頭部
１３    首
１４    回転部側に固定された軸
１５    軸受
１６    軸用の抜け止めリング
１７    土台部
１８    上の保持部と下の土台部をつなぐ栓
１９    空洞
２０    鈴
２１    緩衝材
２２    覆い板
２３    目玉
２４    穴
【図１】
2019118777.tif 000003
【図２】
2019118777.tif 000004
【図３】
2019118777.tif 000005
【図４】
2019118777.tif 000006